(57)【要約】      （修正有）【課題】ミシン止め等の手間を掛けることなく、サイズ調整が可能な衣服を提供する。【解決手段】衣服は、身頃本体と、該身頃本体に連続されて着用者の各腕部を覆う筒状の袖部２３Ｒ、２３Ｌと、身頃本体に連続されて着用者の各脚部を覆う筒状の裾部３２Ｒ、３２Ｌと、を備え、袖部２３Ｒ、２３Ｌ及び裾部３２Ｒ、３２Ｌの少なくとも一方は、筒方向の少なくとも一部２０Ａ〜２０Ｃ、３０Ａ〜３０Ｃが着脱可能に構成され、前記一部は、筒方向の長さが異なる複数から一つが選択されたものである。【選択図】図１
0003224100.tif 000002
【実用新案登録請求の範囲】
【請求項１】
身頃本体と、
該身頃本体に連続されて着用者の各腕部を覆う筒状の袖部と、着用者の各脚部を覆う筒状の裾部と、を備えた衣服であって、
前記袖部及び前記裾部の少なくとも一方は、筒方向の少なくとも一部が着脱可能に構成され、
前記一部は、前記筒方向の長さが異なる複数から一つが選択されたものであることを特徴とする衣服。
【請求項２】
前記袖部の前記一部が着脱可能に構成された場合、
前記袖部は、前記身頃本体に連続された袖本体と、袖先を含む袖口部と、前記袖本体と前記袖口部との間に位置する前記一部と、を有し、
前記袖本体と前記一部とを接続する第１接続部により、前記一部が前記袖本体に着脱可能に接続され、
前記一部と前記袖口部とを接続する第２接続部により、前記袖口部が前記一部に着脱可能に接続されていることを特徴とする請求項１に記載の衣服。
【請求項３】
前記裾部の前記一部が着脱可能に構成された場合、
前記裾部は、着用者の各脚部を覆う裾本体と、先端側の裾口部と、前記裾本体と前記裾口部との間に位置する前記一部と、を有し、
前記裾本体と前記一部とを接続する第３接続部により、前記一部が前記裾本体に着脱可能に接続され、
前記一部と前記裾口部とを接続する第４接続部により、前記裾口部が前記一部に着脱可能に接続されていることを特徴とする請求項１または２に記載の衣服。
【考案の詳細な説明】
【技術分野】
【０００１】
本考案は、衣服に関する。
【背景技術】
【０００２】
衣服は、体型が変わると窮屈になる場合がある。特に、子供は成長が早いため、スキー用ジャケットやズボン等、季節性がある衣服の場合には、子供の成長に合わせて衣服のサイズ調整をすることが望まれている。
【０００３】
着用者の体型に合わせてサイズ調整することが可能な衣服として、例えば、衣服の後身頃にプリーツを形成するとともに、このプリーツの合わせ目に沿ってミシン止めを行い、着用者の体型に合わせ、前記ミシン止めを外すことにより、前記プリーツを拡げることでサイズ調整をすることができるように構成された衣服が知られている（例えば、特許文献１参照）。
【先行技術文献】
【特許文献】
【０００４】
【特許文献１】実用新案登録第３０９１５３５号
【考案の概要】
【考案が解決しようとする課題】
【０００５】
しかしながら、特許文献１に開示された従来の衣服は、着用者の体型に合わせて前記プリーツを拡げる際に、前記ミシン止めを外し、プリーツの合わせ目に沿って再びミシン止めを行う必要があり、手間がかかって面倒だった。
【０００６】
本考案の目的は、ミシン止め等の手間を掛けることなく、サイズ調整が可能な衣服を提供することにある。
【課題を解決するための手段】
【０００７】
上記目的は、以下の本考案によって解決される。
即ち、本考案は、身頃本体と、該身頃本体に連続されて着用者の各腕部を覆う筒状の袖部と、着用者の各脚部を覆う筒状の裾部と、を備えた衣服であって、前記袖部及び前記裾部の少なくとも一方は、筒方向の少なくとも一部が着脱可能に構成され、前記一部は、前記筒方向の長さが異なる複数から一つが選択されたものであることを特徴とする衣服である。
【０００８】
これによれば、着用者の体型に対応した一部を複数から選択し、選択した一部を含んだ袖部または裾部とすることで、袖部及び裾部の筒方向の寸法の調整ができる。また、袖部と裾部の筒方向の寸法が調整可能に構成されていることで、ミシン止め等の手間を掛けることなく、筒方向の寸法が調整されて着用者の体型に合った衣服を得ることができる。これにより、着用者の体型が変化したとしても、一つの衣服を長期に亘って着用し続けることができる。
【０００９】
また、袖部の一部が着脱可能に構成された場合、袖部は、身頃本体に連続された袖本体と、袖先を含む袖口部と、袖本体と袖口部との間に位置する一部と、を有し、袖本体と一部とを接続する第１接続部により、一部が袖本体に着脱可能に接続され、一部と袖口部とを接続する第２接続部により、袖口部が一部に着脱可能に接続されていることが好ましい。ここで、第１接続部により、一部が袖本体の裏面に着脱可能に接続され、第２接続部により、袖口部が一部の裏面に着脱可能に接続されている場合には、第１接続部や第２接続部が、露出しないように覆われて構成される。これによれば、前記一部が取外し可能な構成でありながらも、保温性を保ちつつ、特に降雪や雨天時にも防水性を保つことができるから、衣服を快適に着用することができる。
【００１０】
また、裾部の一部が着脱可能に構成された場合、裾部は、着用者の各脚部を覆う裾本体と、先端側の裾口部と、裾本体と裾口部との間に位置する一部と、を有し、裾本体と一部とを接続する第３接続部により、一部が裾本体に着脱可能に接続され、一部と裾口部とを接続する第４接続部により、裾口部が一部に着脱可能に接続されていることが好ましい。ここで、第３接続部により、一部が裾本体の裏面に着脱可能に接続され、第４接続部により、裾口部が一部の裏面に着脱可能に接続されている場合には、第３接続部や第４接続部が、露出しないように覆われて構成される。これによれば、前記一部が取外し可能な構成でありながらも、保温性を保ちつつ、特に降雪や雨天時にも防水性を保つことができるから、衣服を快適に着用することができる。
【考案の効果】
【００１１】
本考案によれば、ミシン止め等の手間を掛けることなく、筒方向の寸法が調整されて着用者の体型に合った衣服を得ることができ、着用者の体型が変化したとしても、一つの衣服を長期に亘って着用し続けることができる。
【図面の簡単な説明】
【００１２】
【図１】本考案の一実施形態にかかる衣服を示す平面図であって、（Ａ）（Ｂ）（Ｃ）は、サイズ調整された衣服の一例を示す図である。
【図２】前記衣服の袖部をサイズ調整する際の手順を示す図である。
【図３】前記衣服の裾部をサイズ調整する際の手順を示す図である。
【図４】前記袖部の変形例を示す図であって、当該袖部をサイズ調整する際の手順を示す図である。
【図５】前記裾部の変形例を示す図であって、当該裾部をサイズ調整する際の手順を示す図である。
【考案を実施するための形態】
【００１３】
以下、本考案の一実施形態であるスキーウエア（衣服）を、図１〜５を参照して説明する。図１（Ａ）（Ｂ）（Ｃ）は、本考案の一実施形態にかかるスキーウエア１（衣服）を示す平面図であって、一実施形態にかかるスキーウエア１Ａ、１Ｂ、１Ｃは、ジャケット２の袖丈寸法を調整するために長さの異なる袖丈調整部（一部）２０Ａ、２０Ｂ、２０Ｃや、パンツ３の股下寸法を調整するために長さの異なる裾丈調整部３０Ａ、３０Ｂ、３０Ｃがそれぞれ付け替えられたものである。図１（Ａ）（Ｂ）（Ｃ）は、袖丈調整部２０Ａ、２０Ｂ、２０Ｃや裾丈調整部３０Ａ、３０Ｂ、３０Ｃがそれぞれ付け替えられたものであり、（Ａ）に示すスキーウエア１Ａ（１）は、身長１００ｃｍＴ１のキッズ用であり、（Ｂ）に示すスキーウエア１Ｂ（１）は、身長１１０ｃｍＴ２のキッズ用であり、（Ｃ）に示すスキーウエア１Ｃ（１）は、身長１２０ｃｍＴ３のキッズ用である。図１に示されたスキーウエア１は、ジャケット２と、パンツ３と、を備えて構成されている。ここでいうパンツ３は、オーバーオールであってもよい。
【００１４】
ジャケット２は、図１（Ａ）（Ｂ）（Ｃ）に示すように、着用者の前面側（腹部側）を覆う前身頃２１と、着用者の背面側（背部側）を覆う後身頃（不図示）と、着用者の左右の腕部それぞれを覆う各袖部２３Ｒ、２３Ｌと、着用者の首部を覆う襟部２４と、不図示のフード部と、を備えている。
【００１５】
前身頃２１は、例えばポリエステル製の生地に透湿防水加工を施した外布ａと、例えばメッシュ生地から成る通気性を有する内布ｂと、を有して構成されており、着用者の前面側の右半分を覆う右前身頃２１Ｒと、着用者の前面側の左半分を覆う左前身頃２１Ｌと、を備えている。このような前身頃２１は、左右前身頃２１Ｒがそれぞれ中心側（前面側）の側端部同士を係脱自在に連結できるように、開閉手段としてのスライドファスナー２５が設けられている。
【００１６】
後身頃は、例えばポリエステル製の生地に透湿防水加工を施した外布と、例えばメッシュ生地から成る通気性を有する内布と、を有して構成されている。後身頃の右側端部が右前身頃２１Ｒの右側端部２１０Ｒに縫着され、後身頃の左側端部が左前身頃２１Ｌの左側端部２１０Ｌに縫着されている。
【００１７】
各袖部２３Ｒ、２３Ｌは、図１、２に示すように、例えばポリエステル製の生地に透湿防水加工を施した外布ａと、例えばメッシュ生地から成る通気性を有する内布ｂと、を有して構成されており、図１、２に示すように、前身頃２１及び後身頃に連続された袖本体２３０と、袖先２３ｔを含む袖口部２３１と、袖本体２３０と袖口部２３１との間に着脱可能に接続されるとともにその筒長さ寸法（袖丈寸法）が異なる複数（実施形態では３個）の袖丈調整部２０Ａ、２０Ｂ、２０Ｃと、を備えている。
【００１８】
このような各袖部２３Ｒ、２３Ｌは、図１（Ａ）（Ｂ）（Ｃ）に示すように、袖本体２３０及び袖口部２３１は同一形状のものであり、袖丈調整部２０Ａ、２０Ｂ、２０Ｃのみが、着用者の体型に合わせて付け替えられるように構成されている。以下では、図１（Ａ）に示された袖丈調整部２０Ａを「基本袖丈調整部２０Ａ」と記し、図１（Ｂ）に示された袖丈調整部２０Ｂを「１ＵＰ袖丈調整部２０Ｂ」と記し、図１（Ｃ）に示された袖丈調整部２０Ｃを「２ＵＰ袖丈調整部２０Ｃ」と記す場合がある。また、基本袖丈調整部２０Ａ、１ＵＰ袖丈調整部２０Ｂ及び２ＵＰ袖丈調整部２０Ｃを総称して、「袖丈調整部２０」と記す場合がある。即ち、各袖部２３Ｒ、２３Ｌは、袖本体２３０と、袖先２３ｔを含む袖口部２３１と、基本袖丈調整部２０Ａ、１ＵＰ袖丈調整部２０Ｂ及び、２ＵＰ袖丈調整部２０Ｃと、を備えて構成されている。
【００１９】
さらに各袖部２３Ｒ、２３Ｌは、図２に示すように、袖本体２３０と各袖丈調整部２０とを接続する第１スライドファスナー４（第１接続部）と、各袖丈調整部２０と袖口部２３１とを接続する第２スライドファスナー５（第２接続部）と、を備えている。
【００２０】
第１スライドファスナー４は、互いに係合可能な一対のエレメント４０Ａ、４０Ｂと、一対のエレメント４０Ａ、４０Ｂを係合及び係合解除可能なスライダー（不図示）と、を備えている。第１スライドファスナー４にあって、一対のエレメント４０Ａ、４０Ｂのうち一方４０Ａは、袖本体２３０の後述する第１固定位置に周方向の略全周に亘って設けられ、他方４０Ｂは、袖丈調整部２０Ａ、２０Ｂ、２０Ｃの各端部に周方向の略全周に亘って設けられている。
【００２１】
第１スライドファスナー４は、内布ｂにあって、袖本体２３０の先端から所定寸法だけ基端側（袖ぐり側）にある第１固定位置と袖丈調整部２０Ａ、２０Ｂ、２０Ｃの各端部とを接続可能にするように袖本体２３０及び袖丈調整部２０Ａ、２０Ｂ、２０Ｃに縫着されている。即ち、第１スライドファスナー４（第１接続部）により、袖丈調整部２０が袖本体２３０の裏面に着脱可能に接続されている。以下では、袖本体２３０の第１固定位置より先端側を「第１カバー部２３２」と記す場合がある。即ち、第１スライドファスナー４は、一対のエレメント４０Ａ、４０Ｂが係合した状態で第１カバー部２３２により覆われている。
【００２２】
第２スライドファスナー５は、互いに係合可能な一対のエレメント５０Ａ、５０Ｂと、一対のエレメント５０Ａ、５０Ｂを係合及び係合解除可能なスライダー（不図示）と、を備えている。第２スライドファスナー５にあって、一対のエレメント５０Ａ、５０Ｂのうち一方５０Ａは、各袖丈調整部２０Ａ、２０Ｂ、２０Ｃの後述する第２固定位置に周方向の略全周に亘って設けられ、他方５０Ｂは、袖口部２３１の端部に周方向の略全周に亘って設けられている。
【００２３】
第２スライドファスナー５は、袖丈調整部２０Ａ、２０Ｂ、２０Ｃの各端部から所定寸法だけ袖ぐり側にある内布ｂに第２固定位置と袖口部２３１の端部とを接続可能にするように各袖丈調整部２０Ａ、２０Ｂ、２０Ｃ及び袖口部２３１に縫着されている。即ち、第２スライドファスナー５（第２接続部）により、袖口部２３１が袖丈調整部２０Ａ、２０Ｂ、２０Ｃの裏面に着脱可能に接続されている。以下では、袖本体２３０の第２固定位置より袖先側を「第２カバー部２３３」と記す場合がある。即ち、第２スライドファスナー５は、一対のエレメント５０Ａ、５０Ｂが係合した状態で第２カバー部２３３により覆われている。
【００２４】
このようなジャケット２は、以下の手順で組み立てる。即ち、基本袖丈調整部２０Ａ、１ＵＰ袖丈調整部２０Ｂ、２ＵＰ袖丈調整部２０Ｃの何れか一つを選択し、選択した袖丈調整部２０を、袖本体２３０に第１スライドファスナー４を用いて接続し、さらに袖口部２３１に第２スライドファスナー５を用いて接続する。こうして、着用者の体型に合ったジャケット２が完成する。
【００２５】
パンツ３は、図１（Ａ）（Ｂ）（Ｃ）に示すように、着用者の臀部周りを覆うはき口（不図示）が形成された主体部（不図示）と、着用者の左右の脚部それぞれを覆う各裾部３２Ｒ、３２Ｌと、を備えている。
【００２６】
各裾部３２Ｒ、３２Ｌは、例えばポリエステル製の生地に透湿防水加工を施した外布ａと、例えばメッシュ生地から成る通気性を有する内布ｂと、を有して構成されており、図１、３に示すように、主体部に連続された左右の裾本体３２０と、裾先３２ｔを含む裾口部３２１と、裾本体３２０と裾口部３２１との間に着脱可能に接続されるとともにその筒長さ寸法（丈下寸法）が異なる複数（実施形態では３個）の裾丈調整部３０Ａ、３０Ｂ、３０Ｃ（一部）と、を備えている。
【００２７】
このような各裾部３２Ｒ、３２Ｌは、図１（Ａ）（Ｂ）（Ｃ）に示すように、裾本体３２０及び裾口部３２１は同一形状のものであり、裾丈調整部３０Ａ、３０Ｂ、３０Ｃのみが、着用者の体型に合わせて付け替えられるように構成されている。以下では、図１（Ａ）に示された裾丈調整部３０Ａを「基本裾丈調整部３０Ａ」と記し、図１（Ｂ）に示された裾丈調整部３０Ｂを「１ＵＰ裾丈調整部３０Ｂ」と記し、図１（Ｃ）に示された３０Ｃを「２ＵＰ裾丈調整部３０Ｃ」と記す場合がある。また、基本裾丈調整部３０Ａ、１ＵＰ裾丈調整部３０Ｂ及び２ＵＰ裾丈調整部３０Ｃを総称して、「裾丈調整部３０」と記す場合がある。即ち、各裾部３２Ｒ、３２Ｌは、裾本体３２０と、裾先３２ｔを含む裾口部３２１と、基本裾丈調整部３０Ａ、１ＵＰ裾丈調整部３０Ｂ及び、２ＵＰ裾丈調整部３０Ｃと、を備えて構成されている。
【００２８】
さらに各裾部３２Ｒ、３２Ｌは、図３に示すように、裾本体３２０と各裾丈調整部３０とを接続する第３スライドファスナー６（第３接続部）と、各裾丈調整部３０と裾口部３２１とを接続する第４スライドファスナー７（第４接続部）と、を備えている。
【００２９】
第３スライドファスナー６は、互いに係合可能な一対のエレメント６０Ａ、６０Ｂと、一対のエレメント６０Ａ、６０Ｂを係合及び係合解除可能なスライダー（不図示）と、を備えている。第３スライドファスナー６にあって、一対のエレメント６０Ａ、６０Ｂのうち一方６０Ａは、裾本体３２０の後述する第３固定位置に周方向の略全周に亘って設けられ、他方６０Ｂは、袖丈調整部３０Ａ、３０Ｂ、３０Ｃの各端部に周方向の略全周に亘って設けられている。
【００３０】
第３スライドファスナー６は、内布ｂにあって、裾本体３２０の先端から所定寸法だけ基端側（主体部側）にある第３固定位置と袖丈調整部３０Ａ、３０Ｂ、３０Ｃの各端部とを接続可能にするように裾本体３２０及び袖丈調整部３０Ａ、３０Ｂ、３０Ｃに縫着されている。即ち、第３スライドファスナー６（第３接続部）により、各裾丈調整部３０が主体部の裏面に着脱可能に接続されている。以下では、裾本体３２０の第３固定位置より先端側を「第３カバー部３２２」と記す場合がある。即ち、第３スライドファスナー６は、一対のエレメント６０Ａ、６０Ｂが係合した状態で第３カバー部３２２により覆われている。
【００３１】
第４スライドファスナー７は、互いに係合可能な一対のエレメント７０Ａ、７０Ｂと、一対のエレメント７０Ａ、７０Ｂを係合及び係合解除可能なスライダー（不図示）と、を備えている。第４スライドファスナー７にあって、一対のエレメント７０Ａ、７０Ｂのうち一方７０Ａは、各裾丈調整部３０Ａ、３０Ｂ、３０Ｃの後述する第４固定位置に周方向の略全周に亘って設けられ、他方７０Ｂは、裾口部３２１の端部に周方向の略全周に亘って設けられている。
【００３２】
第４スライドファスナー７は、裾丈調整部３０Ａ、３０Ｂ、３０Ｃの各端部から所定寸法だけ主体部側にある内布ｂに第４固定位置と裾口部３２１の端部とを接続可能にするように各裾丈調整部３０Ａ、３０Ｂ、３０Ｃ及び裾口部３２１に縫着されている。即ち、第４スライドファスナー７（第４接続部）により、裾口部３２１が各裾丈調整部３０の裏面に着脱可能に接続されている。以下では、裾丈調整部３０の第４固定位置より裾口部３２１側を「第４カバー部３２３」と記す場合がある。即ち、第４スライドファスナー７は、一対のエレメント７０Ａ、７０Ｂが係合した状態で第４カバー部３２３により覆われている。
【００３３】
このようなパンツ３は、以下の組立て手順で組み立てる。即ち、基本裾丈調整部３０Ａ、１ＵＰ裾丈調整部３０Ｂ、２ＵＰ裾丈調整部３０Ｃの何れか一つを選択し、選択した裾丈調整部３０を、裾本体３２０に第３スライドファスナー６を用いて接続し、さらに裾口部３２１に第４スライドファスナー７を用いて接続する。こうして、着用者の体型に合ったパンツ３が完成する。
【００３４】
このようなスキーウエア１は、袖部２３Ｒ、２３Ｌと裾部３２Ｒ、３２Ｌの筒方向の寸法が調整可能に構成されていることで、ミシン止め等の手間を掛けることなく、筒方向の寸法が調整されて着用者の体型に合った衣服を得ることができる。これにより、体型が変化したとしても、一つのスキーウエア１（衣服）を長期に亘って着用し続けることができる。
【００３５】
また、袖部２３Ｒ、２３Ｌ及び裾部３２Ｒ、３２Ｌは、袖丈調整部２０Ａ、２０Ｂ、２０Ｃ（筒方向の少なくとも一部）や裾丈調整部３０Ａ、３０Ｂ、３０Ｃ（筒方向の少なくとも一部）が着脱可能に構成され、これら調整部２０、３０は、筒方向の長さが異なる複数から一つが選択されたものである。これによれば、着用者の体型に対応した調整部２０、３０を選択し、選択した調整部２０、３０を含んだ袖部２３Ｒ、２３Ｌまたは裾部３２Ｒ、３２Ｌとすることで、袖部２３Ｒ、２３Ｌと裾部３２Ｒ、３２Ｌの筒方向の寸法の調整ができる。
【００３６】
また、袖部２３Ｒ、２３Ｌは、身頃本体に連続された袖本体２３０と、袖先２３ｔを含んだ袖口部２３１と、袖本体２３０と袖口部２３１との間に位置する袖丈調整部２０（一部）と、を有し、袖本体２３０と各袖丈調整部２０とを接続する第１スライドファスナー４（第１接続部）により、袖丈調整部２０が袖本体２３０の裏面に着脱可能に接続され、袖丈調整部２０と袖口部２３１とを接続する第２スライドファスナー５（第２接続部）により、袖口部２３１が袖丈調整部２０Ａ、２０Ｂ、２０Ｃの裏面に着脱可能に接続されている。即ち、第１スライドファスナー４（第１接続部）や第２スライドファスナー５（第２接続部）が外部に露出しないように構成されていることで、各袖丈調整部２０が取外し可能な構成でありながらも、保温性を保ちつつ、特に降雪や雨天時にも防水性を保つことができるから、衣服を快適に着用することができる。
【００３７】
また、裾部３２Ｒ、３２Ｌは、身頃本体に連続された主体部と、先端側の裾口部３２１と、主体部と裾口部３２１との間に位置する裾丈調整部３０（一部）と、を有し、主体部と各裾丈調整部３０とを接続する第３スライドファスナー６（第３接続部）により、各裾丈調整部３０が主体部の裏面に着脱可能に接続され、各裾丈調整部３０と裾口部３２１とを接続する第４スライドファスナー７（第４接続部）により、裾口部３２１が各裾丈調整部３０の裏面に着脱可能に接続されている。即ち、第３スライドファスナー６（第３接続部）や第４スライドファスナー７（第４接続部）が、露出しないように覆われて構成されていることで、各裾丈調整部３０が取外し可能な構成でありながらも、保温性を保ちつつ、特に降雪や雨天時にも防水性を保つことができるから、衣服を快適に着用することができる。
【００３８】
なお、本考案は、前記実施形態に限定されるものではなく、本発明の目的が達成できる他の構成等を含み、以下に示すような変形等も本発明に含まれる。
【００３９】
前記実施形態では、第１スライドファスナー４（第１接続部）により、袖丈調整部２０が袖本体２３０の裏面に着脱可能に接続され、第２スライドファスナー５（第２接続部）により、袖口部２３１が袖丈調整部２０Ａ、２０Ｂ、２０Ｃの裏面に着脱可能に接続されている。即ち、第１スライドファスナー４（第１接続部）や第２スライドファスナー５（第２接続部）が外部に露出しないように構成されているが、本考案はこれに限定されるものではない。第１スライドファスナー４（第１接続部）により、袖丈調整部２０が袖本体２３０の端部に着脱可能に接続され、第２スライドファスナー５（第２接続部）により、袖口部２３１が袖丈調整部２０Ａ、２０Ｂ、２０Ｃの端部に着脱可能に接続されていてもよい。同様に、第３スライドファスナー６（第３接続部）により、各裾丈調整部３０が主体部の端部に着脱可能に接続され、第４スライドファスナー７（第４接続部）により、裾口部３２１が各裾丈調整部３０の端部に着脱可能に接続されていてもよい。即ち、第１スライドファスナー４（第１接続部）、第２スライドファスナー５（第２接続部）、第３スライドファスナー６（第３接続部）、第４スライドファスナー７（第４接続部）が外部に露出した構成であっても、本考案の権利範囲に含むものとする。
【００４０】
前記実施形態では、第１接続部、第２接続部、第３接続部及び、第４接続部は、それぞれ、互いに係合可能な一対のエレメントと、一対のエレメントを係合及び係合解除可能なスライダーと、を備えたスライドファスナーから構成されているが、本考案はこれに限定されるものではない。第１接続部、第２接続部、第３接続部及び、第４接続部は、それぞれ、部材同士を接続可能なスナップボタンであってもよいし、穴やループに通して部材同士を接続可能なボタンを含むものであってもよい。或いは、部材同士を接続可能な面ファスナーであってもよい。
【００４１】
前記実施形態では、各袖部２３Ｒ、２３Ｌは、前身頃２１及び後身頃に連続された袖本体２３０と、袖口部２３１と、筒長さ寸法が異なる３個の袖丈調整部２０Ａ、２０Ｂ、２０Ｃ（一部）と、を備えて構成されているが、本考案はこれに限定されるものではない。各袖部１２３Ｒ、１２３Ｌは、図４に示すように、着用者の腕部全体を覆うことが可能な一部材で構成されているとともに、筒長さ寸法が異なる複数の袖部材１２３Ｂ、１２３Ｃ（一部）を有して構成されていてもよい。この場合には、袖部材１２３Ｂ、１２３Ｃは、前身頃２１及び後身頃に袖ぐり部２１Ｓに、スライドファスナー８を用いて接続されていてもよい。これによれば、前述した実施形態と略同様の効果が奏される。
【００４２】
また、各裾部３２Ｒ、３２Ｌは、裾本体３２０と、裾口部３２１と、筒長さ寸法が異なる３個の裾丈調整部３０Ａ、３０Ｂ、３０Ｃ（一部）と、を備えて構成されているが、本考案はこれに限定されるものではない。各裾部１３２Ｒ、１３２Ｌは、図５に示すように、裾本体３２０と、筒長さ寸法が異なる複数の裾部材１３２Ｂ、１３２Ｃ（一部）と、を有して構成されていてもよい。この場合には、裾部材１３２Ｂ、１３２Ｃは、裾本体３２０に、スライドファスナー９を用いて接続されていてもよい。これによれば、前述した実施形態と略同様の効果が奏される。
【００４３】
前記実施形態では、袖部２３Ｒ（１２３Ｒ）、２３Ｌ（１２３Ｌ）及び裾部３２Ｒ（１３２Ｒ）、３２Ｌ（１３２Ｌ）の両方が、筒方向の長さが調整可能なように構成されているが、本考案はこれに限定されるものではない。袖部及び裾部の一方のみの筒方向の長さが調整可能なように構成されていてもよい。
【００４４】
前記実施形態では、衣服としてスキーウエアを一例にして説明したが、本考案はこれに限定されるものではない。衣服は、スノーボードウエアであってもよい。
【００４５】
前述した実施形態は本考案の好ましい形態を示したに過ぎず、本考案は、これら実施形態に限定されるものではない。即ち、当業者は、従来公知の知見に従い、本考案の骨子を逸脱しない範囲で種々改変して実施することができる。かかる改変によってもなお本考案の衣服の構成を具備する限り、勿論、本考案の範疇に含まれるものである。
【符号の説明】
【００４６】
１、１０                スキーウエア（衣服）
４                      第１スライドファスナー（第１接続部）
５                      第２スライドファスナー（第２接続部）
６                      第３スライドファスナー（第３接続部）
７                      第４スライドファスナー（第４接続部）
２３Ｒ、２３Ｌ、１２３Ｌ      袖部
２０Ａ、２０Ｂ、２０Ｃ  袖丈調整部（一部）
３０Ａ、３０Ｂ、３０Ｃ  裾丈調整部（一部）
３２Ｒ、３２Ｌ、１３２Ｌ      裾部
３２１                  裾口部
１２３Ｂ、１２３Ｃ      袖部材（一部）
１３２Ｂ、１３２Ｃ      裾部材（一部）
２３０                  袖本体
２３１                  袖口部
【図１】
0003224100.tif 000003
【図２】
0003224100.tif 000004
【図３】
0003224100.tif 000005
【図４】
0003224100.tif 000006
【図５】
0003224100.tif 000007